(57)【要約】【課題】間接照明として明暗等のムラを抑え、かつ広範囲に広がる光源の反射光を得ることができる照明器具を提供する。【解決手段】ＬＥＤ光源部５０と、該ＬＥＤ光源部５０の前面を覆うセード３１を備える照明器具１１において、前記セード３１は、透光性を有する導光板３２と、前記導光板３２の前面側における前記ＬＥＤ光源部５０の対向する位置に設けられ、前記ＬＥＤ光源部５０から前記導光板３２を介して入射した入射光が前記導光板３２の前面側に出射しないように遮光するとともに、該入射光を前記導光板３２の後面側に反射させる第１反射部３３と、前記導光板３２の後面側における前記ＬＥＤ光源部５０の対向する位置の周囲に設けられ、前記ＬＥＤ光源部５０から出射された出射光の一部が前記導光板３２内に入射しないように遮光するとともに、前記第１反射部３３で反射された反射光を前記導光板３２の前面側に反射させる第２反射部３４と、を備える。【選択図】図３
2014170654.tif 000002
【特許請求の範囲】
【請求項１】
光源と、該光源の前面を覆うセードを備える照明器具において、
前記光源は、前記セードの後面に対向する位置に配置され、
前記セードは、
透光性を有する導光板と、
前記導光板の前面における、前記光源に重なる位置に設けられた第１反射部と、
前記導光板の後面における前記第１反射部に重なる位置以外の位置の少なくとも一部に設けられた第２反射部とを備える、照明器具。
【請求項２】
光源と、該光源の前面を覆うセードを備える照明器具において、
前記セードは、
透光性を有する導光板と、
前記導光板の前面側における前記光源の対向する位置に設けられ、前記光源から前記導光板を介して入射した入射光が前記導光板の前面側に出射しないように遮光するとともに、該入射光を前記導光板の後面側に反射させる第１反射部と、
前記導光板の後面側における前記光源の対向する位置の周囲に設けられ、前記光源から出射された出射光の一部が前記導光板内に入射しないように遮光するとともに、前記第１反射部で反射された反射光を前記導光板の前面側に反射させる第２反射部と、を備えることを特徴とする照明器具。
【請求項３】
前記第１反射部は、前記セードの前面側から見て、少なくとも一部が前記第２反射部と重なり合うことを特徴とする請求項１または２に記載の照明器具。
【請求項４】
前記光源は、ＬＥＤであることを特徴とする請求項１〜３のうちいずれか一項に記載の照明器具。
【発明の詳細な説明】
【技術分野】
【０００１】
本発明は、間接照明機能を備えた照明器具に関する。
【背景技術】
【０００２】
従来、導光板を用いて面状の照明光を形成する照明装置が種々提案されている。例えば、発光面と反射面とが互いに対向し、これらの少なくとも一側端面に入射面を有する導光板と、該導光板の入射面に対向する光源とを備えた照明装置が知られている（例えば、特許文献１参照）。
【０００３】
特許文献１には、矩形の導光板の各端面に沿って複数の光源を配置し、導光板の各端面から光を導光板内に入射して導光板の表面を発光させる照明装置が開示されている。この照明装置は、光源からの光を導光板の発光面及び反射面で反射させて使用者に視認される側に面状の照明光を出射させる構成となっている。
【先行技術文献】
【特許文献】
【０００４】
【特許文献１】特開２００７−１０８４３８号公報
【発明の概要】
【発明が解決しようとする課題】
【０００５】
しかしながら、特許文献１に開示された照明装置の構成では、照明装置の前面側から光源の直射光を目視することが可能であるため、導光板の発光面で照射ムラが生じてしまい、均質でムラのない照明光を得ることが難しい。
【０００６】
間接照明機能を備えた照明器具としては、空間の雰囲気を効果的に演出するために、例えば、使用者に視認される側に直接光が向けられることがなく、かつ間接照明として光源の反射光のみを使用者が視認される側に広範囲にわたって出射可能であるものが求められる。
【０００７】
そこで、本発明は、上記課題に鑑みてなされたものであり、間接照明として明暗等のムラを抑え、かつ広範囲に広がる光源の反射光を得ることができる照明器具を提供することを目的とする。
【課題を解決するための手段】
【０００８】
本発明の解決しようとする課題は以上の如くであり、次にこの課題を解決するための手段を説明する。
【０００９】
即ち、本願に開示する照明器具は、
光源と、該光源の前面を覆うセードを備える照明器具において、
前記セードは、
透光性を有する導光板と、
前記導光板の前面側における前記光源の対向する位置に設けられ、前記光源から前記導光板を介して入射した入射光が前記導光板の前面側に出射しないように遮光するとともに、該入射光を前記導光板の後面側に反射させる第１反射部と、
前記導光板の後面側における前記光源の対向する位置の周囲に設けられ、前記光源から出射された出射光の一部が前記導光板内に入射しないように遮光するとともに、前記第１反射部で反射された反射光を前記導光板の前面側に反射させる第２反射部と、を備えるものである。
【００１０】
本願に開示する照明器具において、
前記第１反射部は、前記セードの前面側から見て前記第２反射部と重なり合う構成とすることが好ましい。
【００１１】
本願に開示する照明器具において、
前記光源は、ＬＥＤとすることが好ましい。
【発明の効果】
【００１２】
本発明によれば、セードの前面側に、光源の直射光が出射せず光源の反射光のみを広範囲にわたって出射させることができるため、間接照明として明暗等のムラを抑え、かつ広範囲に広がる光を提供することができる。
【図面の簡単な説明】
【００１３】
【図１】本発明の一実施形態に係る照明器具１１を斜め上方から見た斜視図。
【図２】照明器具１１を上方から見た上面図。
【図３】図１のＡ−Ａ線の位置において照明器具１１を切断した断面図。
【図４】図３の一部を拡大した拡大断面図。
【図５】図１のＢ−Ｂ線の位置において照明器具１１を切断した断面図。
【図６】照明器具１１の前面側を示す正面図。
【図７】図３のＣ−Ｃ線矢視図。
【図８】パターン層状部４１を示す図。
【図９】パターン層状部４２を示す図。
【図１０】プリズム体８１を示す拡大断面図。
【発明を実施するための形態】
【００１４】
次に、本発明の実施形態に係る照明器具１１について、図１から図１０を用いて説明する。本実施形態に係る照明器具１１は、例えば、壁面に設置されるブラケットライトとして使用することができる。以下の説明では、照明器具１１の「前面側」は光を照射する側とし、「後面側」は前面側の反対側として説明する。また、図３における上下方向を、照明器具１１の「上下方向」とし、この「上下方向」に直交する方向を、照明器具１１の「幅方向」として説明する。
【００１５】
照明器具１１は、図１から図３に示すように、主に器具本体２１、セード３１、ＬＥＤ光源部５０、器具取付部材６１を有している。
【００１６】
器具本体２１は、照明器具１１の本体を形成するものであり、器具主体２２と収容部２３とを有している。器具主体２２は、図５に示すように、一対の断面形状略コ字型の板金部材を対向配置したものであり、セード３１を保持するものである。器具主体２２は、熱伝導性を有するアルミニウム等の金属部材を用いて形成されている。器具主体２２は、一対の基板部２４と、一対の基板部２４の対向方向（照明器具１１の幅方向）外側端部から基板部２４に対して直角に延出される一対の側板部２５と、一対の側板部２５の後端縁のそれぞれから側板部２５の対向方向（照明器具１１の幅方向）内側前斜め方向に延出される一対の第１取付部２６とを有している。一対の基板部２４は、セード３１の幅方向外縁近傍（図５に示す幅方向外縁近傍）に取付ボルト２８で取り付けられる。第１取付部２６は、収容部２３が有する第２取付部２７を取付ネジ２９で取り付けるためのものであり、図示しない取付穴を有している。なお、器具主体２２は、熱伝導性を有する材料であれば金属部材やアルミニウムに限定されない。また、器具主体２２は、熱伝導性を有する材料で形成されていることが好ましいが、熱伝導性を有することは必須ではない。
【００１７】
収容部２３は、後面を開口した箱状の部材である。収容部２３は、ＬＥＤ光源部５０の後端部、電源装置７１、及び器具取付部材６１等が収容されて、器具主体２２に取り付けられるものである。収容部２３の底部２３ａ（図３参照）の前面側は、ＬＥＤ光源部５０の出射光や第２反射部３４の後面で反射された光を反射する反射性を有する面として構成されている。収容部２３は、熱伝導性を有するアルミニウム等の金属部材を用いて形成されている。収容部２３は、内部にＬＥＤ光源部５０の後端部、電源装置７１、及び器具取付部材６１等を収容するための高さ及び幅が確保されている。収容部２３には、収容部２３の幅方向両端における収容部２３の後端縁（図５では、収容部２３の幅方向両端における後端縁）から収容部２３の幅方向内側前斜め方向に延出される一対の第２取付部２７が形成されている。第２取付部２７は、器具主体２２が有する第１取付部２６に取付ネジ２９で取り付けるためのものであり、図示しない取付穴を有している。収容部２３は、その内部にＬＥＤ光源部５０の後端部、電源装置７１、及び器具取付部材６１等を収容して配置した状態で、セード３１後面に対向配置された一対の器具主体２２の間に挿入し、一対の第１取付部２６と一対の第２取付部２７とを重ね合わせて、取付ネジ２９を用いて固定される。収容部２３が、器具主体２２に固定されることで、図３に示すように、器具本体２１の上下方向の両端（本実施形態では、上端及び下端）にＬＥＤ光源部５０からの光を直接照明器具１１の外部に出射可能な一対の開放部１９が形成される。開放部１９は、ＬＥＤ光源部５０から出射された直接光を、例えば照明器具１１を設置した壁面や天井面等に配光するための開口である。なお、収容部２３は、熱伝導性を有する材料であれば金属部材やアルミニウムに限定されない。また、収容部２３は、熱伝導性を有する材料で形成されていることが好ましいが、熱伝導性を有することは必須ではない。
【００１８】
セード３１は、ＬＥＤ光源部５０の前面を覆う略板状のものであり、平面視略正方形状に形成されている。セード３１の前面側は略平坦に形成されている（図６参照）。セード３１は、器具本体２１内に配置されたＬＥＤ光源部５０の前面に対向する位置に取り付けられる。セード３１の前面側は、例えば、照明器具１１を壁面に設置した状態において使用者に視認可能な側であるとともに照明器具１１の意匠面の一部を構成する側である。セード３１は、主に導光板３２と、第１反射部３３と、第２反射部３４とを有している。詳細は後述するが、セード３１は、ＬＥＤ光源部５０から導光板３２内に入射した直接光を導光板３２内の前面と後面とで相互に反射させながらセード３１の外方（本実施形態では、第１反射部３３の上下方向及び上下斜め方向）に導光し、セード３１前面からＬＥＤ光源部５０の反射光（間接光）を照射するためのものである。
【００１９】
導光板３２は、透光性を有する透明のアクリル樹脂素材等で形成される平面視長方形状の板状部材２枚からなる。導光板３２は、この２枚の板状部材の一側面を突き合わせることで、略正方形になる。導光板３２は、第１反射部３３で覆われる部分を除く前面が光を発光する発光面（使用者により光が視認される面）となり、後面が光を反射する反射面となる。当該発光面は、ＬＥＤ光源部５０から出射された直接光をセード３１の内側で反射させた後、反射光として出射される部分である。導光板３２は、ＬＥＤ光源部５０から出射された光を導光板３２の互いに対向した前面及び後面とで互いに反射させながら所定方向（本実施形態では、第１反射部３３の上下方向及び上下斜め方向）に導くものである。導光板３２には、導光板３２の幅方向外縁近傍（図５に示す幅方向外縁近傍）に器具本体２１（器具主体２２）を取付ボルト２８により固定するための取付穴３５を有している。詳細は後述するが、導光板３２は、ＬＥＤ光源部５０から出射された光を導光板３２内に透光する透光部２０を有している。
なお、本実施形態では、上記透光性を有する板状部材２枚により導光板３２を構成しているが、特に限定するものではなく、１枚からなる透光性を有する板状部材により導光板３２を構成してもかまわない。また、導光板３２は、略正方形としたが、他の形状であってもよい。
【００２０】
第１反射部３３は、導光板３２の前面における、ＬＥＤ光源部５０に重なる位置に設けられている。第１反射部３３は、導光板３２の前面側におけるＬＥＤ光源部５０の対向する位置に設けられている。第１反射部３３は、ＬＥＤ光源部５０から導光板３２を介して入射した入射光が導光板３２の前面側に出射しないように遮光するとともに、該入射光を導光板３２の後面側に反射させる部分である。具体的には、第１反射部３３は、図６に示すように、正面視長方形状の板金部材である。第1反射部３３は、前面側が使用者に視認される側となる平板状の前板部３６と、前板部３６の長手方向両端から後方に向かって前板部３６に対して直角に延出される平板状の一対の側板部３７と、この一対の側板部３７の後端縁のそれぞれから第１反射部３３の長手方向内側に向かって側板部３７に対して直角に延出される一対の導光板保持部３８とを有している。第１反射部３３は、図７に示すように、第１反射部３３が有する導光板保持部３８により導光板３２を保持した状態で、導光板保持部３８及び長板状の取付部材３９を介して取付ボルト４０により取り付けられる。第１反射部３３の前板部３６及び側板部３７は、ＬＥＤ光源部５０から出射される出射光を第１反射部３３の外側に透過させない遮光性を有するとともに、前板部３６の後面側（裏面側）、側板部３７の裏面側及び導光板保持部３８の前面（裏面）側はＬＥＤ光源部５０から出射された出射光を反射する反射性を有する層状部（本実施形態では、白色塗装により形成された層状部）を有している。
なお、本実施形態においては、第１反射部３３として板金製の部材を用いたが特に限定するものではない。例えば、透光性を有する１枚の板状部材からなる導光板３２を用いて、導光板３２の前面側に第１反射部３３と同様の遮光性及び反射性の各機能を有する層状物を設ける構成でもかまわない。このような層状物としては、例えば、シルク印刷等の印刷により形成される印刷層、塗膜による塗膜層、や貼り付け可能なシート状部材等が挙げられる。
【００２１】
第２反射部３４は、導光板３２の後面における第１反射部３３に重なる位置以外の位置の少なくとも一部に設けられる。第２反射部３４は、導光板３２の後面側におけるＬＥＤ光源部５０の対向する位置の周囲に設けられ、ＬＥＤ光源部５０から出射された出射光の一部が導光板３２内に入射しないように遮光するとともに、第１反射部３３で反射された反射光を導光板３２の前面側に反射させる部分である。具体的には、第２反射部３４は、導光板３２の後面側に形成される、略長方形状からなる一対の層状の部分であって、一対の第２反射部３４の対向方向（照明器具１１の上下方向）内側の辺３４ａ側を除く外縁が導光板３２の外縁と一致するように形成された板金製の部材である。セード３１の後面側には、図７に示すように、セード３１の後面側の上下方向中央部には、第２反射部３４の一対の辺３４ａと、一対の第１反射部３３の導光板保持部３８の幅方向外縁部と、一対の取付部材３９の対向する端部に囲まれることで、ＬＥＤ光源部５０からの出射光が導光板３２内に入射される領域となる略長方形状の透光部２０が形成されている。
【００２２】
透光部２０は、ＬＥＤ光源部５０の対向する位置に設けられ、ＬＥＤ光源部５０から出射される直接光を透光することが可能である。第２反射部３４は、ＬＥＤ光源部５０の対向する位置の周囲において、ＬＥＤ光源部５０から出射される出射光を導光板３２内に透過させない遮光性を有するとともに、第２反射部３４の後面側はＬＥＤ光源部５０から出射された出射光を反射する反射性を有している。さらに、第２反射部３４の前面側は導光板３２内で反射された反射光を反射する反射性を有している。さらに、一対の導光板保持部３８及び一対の取付部材３９のそれぞれにおいても当該第２反射部３４同様の遮光性及び反射性の機能を有している。
なお、本実施形態においては、第２反射部３４として板金製の部材を用いたが特に限定するものではない。例えば、第２反射部３４として導光板３２の後面側に第２反射部３４と同様の遮光性及び反射性の機能を有する、シルク印刷により形成される層状部や貼り付け可能なシート状部材等の代替物を設ける構成としてかまわない。
【００２３】
第１反射部３３は、セード３１の前面側から見て、少なくとも一部が第２反射部３４と重なり合うように構成されている。具体的には、図４において符号Ｄで示す、第１反射部３３と第２反射部３４との重なり部分は、第１反射部３３の上下方向両端部が、図７に示す第２反射部３４の一対の辺３４ａよりも導光板３２の上下方向外側に配置されるように構成されている。これにより、ＬＥＤ光源部５０から直接光が出射されても、照明器具１１に対面する使用者からはセード３１の前面側から光源が見えないため、間接照明としての明暗等のムラを抑えることができる。
なお、第１反射部３３と第２反射部３４との重なり部分Ｄは、特に本実施形態に限定するものではない。照明器具１１と使用者との関係を考慮して、使用者による自然な使用状況において、使用者に直接光が見えることがないように適宜設定すればよい。そのような状況を想定した場合、例えば、重なり部分Ｄは、導光板３２の厚さと同等にすることが好ましい。
【００２４】
導光板３２の前面には、第１反射部３３で覆われる部分を除く領域に図８、図９に示すような所定のパターン形状の層状の部分からなるパターン層状部４１、４２を形成してもよい。パターン層状部４１、４２は、白色（半透光性）のシルク印刷層により形成することができる。パターン層状部４１、４２は、反射性を有するものであり、導光板３２の前面側において入射された光を対向する導光板３２の後面側へと反射するものである。
パターン層状部４１は、導光板３２の前面側において第１反射部３３（前板部３６）の長手方向に平行に並ぶ横縞状に形成されたものであり、第１反射部３３（前板部３６）から導光板３２の上下方向外側へと離間するにしたがって、縞の幅が徐々に狭くなるように構成されている。これにより、導光板３２内から導光板３２の前面側へと光が透過する量を制御して、導光板３２の前面（発光面）において、導光板３２の上下方向外側（図８に矢印で示す上下方向外側）に広範囲に広がるように光を導くことができる。
一方、パターン層状部４２は、導光板３２の前面側において第１反射部３３（前板部３６）に対して上下方向及び幅方向に沿った方向に並ぶドット状に形成されたものであり、第１反射部３３（前板部３６）を挟んだ中央部近傍においては大径のドットが配置され、該中央部近傍から導光板３２の上下方向外側及び幅方向外側へと離間するにしたがって、ドットが徐々に小径となるように構成されている。すなわち、パターン層状部４２では、ＬＥＤ光源部５０近傍の領域に比較的大きいドットを配置するとともに、ＬＥＤ光源部５０から離間するにしたがってドットの大きさを小さくするようにしたものである。これにより、導光板３２内から導光板３２の前面側へと光が透過する量を制御して、導光板３２の前面（発光面）において、第１反射部３３（前板部３６）を挟んだ中央部近傍においては導光板３２の前面（発光面）における光の反射量を向上させるとともに、該中央部近傍から離間するにしたがって徐々に該光の反射量を小さくしていくことができるため、導光板３２の上下方向外側及び幅方向外側（図９に矢印で示す上下方向外側及び幅方向外側）に広範囲に広がるように光を導くことができる。
つまり、導光板３２にパターン層状部４１、４２を形成することで、導光板３２内から導光板３２の前面側へと光が透過する量をパターン層状部４１、４２のパターンの形状を変更することにより制御して、導光板３２にパターン層状部４１、４２を形成しない場合と比較して、間接照明として、より明暗等のムラを抑え、かつ広範囲に広がる光を導光板３２の前面（発光面）から発光させることができる。
なお、パターン層状部のパターン形状は上記パターン層状部４１、４２に特に限定するものではなく、上記パターン層状部４１、４２と同様の作用効果を有するパターン形状を適宜選定するとよい。
【００２５】
ＬＥＤ光源部５０は、セード３１の後面に対向する位置に配置される。ＬＥＤ光源部５０は、その先端部が収容部２３の前面中央部に開口された開口部（図示せず）から前方に突出するように配置されるとともに、その後端部が収容部２３の内側に固定される。ＬＥＤ光源部５０は、光源であるＬＥＤモジュール５０ａと、ＬＥＤモジュール５０ａの前方を覆う略半球状で透光性を有する光源カバー５１と、から構成される。ＬＥＤモジュール５０ａは、電線（図示せず）を介して電源装置７１と電気的に接続されている。
なお、本実施の形態では、光源としてＬＥＤを用いたが、光源の種類はＬＥＤに限定されず、例えば有機ＥＬ素子（ＯＬＥＤ）であっても実現可能である。
なお、図１０に示すように、ＬＥＤ光源部５０と透光部２０との間に、断面形状が三角形であるプリズム体８１を設ける構成としてもよい。プリズム体８１を設けることで、ＬＥＤ光源部５０から出射された光をプリズム体８１により屈折させて、照明器具１１の一対の開放部１９から放射される光量を増加させることができる。
【００２６】
電源装置７１は、ＬＥＤ光源部５０のＬＥＤモジュール５０ａに給電を行って点灯させるための装置である。電源装置７１は、収容部２３に収容され、取付ネジにより収容部２３に固定される。電源装置７１にはコネクタ（図示せず）が設けられており、照明器具１１を壁面に取り付ける際、壁面側の相手コネクタ（図示せず）と接続することで、照明器具用の天井配線器具を介して外部電源と電気的に接続される。電源装置７１とＬＥＤモジュール５０ａは電線（図示せず）によって電気的に接続される。
【００２７】
器具取付部材６１は、断面形状略コ字型の板金部材であり、器具本体２１を図示しない取付具を用いて壁面等の被設置面に取り付けるためのものである。器具取付部材６１は、図３に示すように、収容部２３に収容した状態で、取付ネジ４３により器具取付部材６１の上下方向両端が固定される。
【００２８】
上記の如く構成した照明器具１１のＬＥＤ光源部５０を点灯させた場合、セード３１が第１反射部３３及び第２反射部３４を有することで、ＬＥＤ光源部５０から出射された光は、図３において点線矢印で示すように、導光板３２の透光部２０から導光板３２内に入射する。また、導光板３２内に入射した光は、先ず第１反射部３３の後面側で反射される。さらに、第１反射部３３の後面側で反射された光は、第１反射部３３に対向する第２反射部３４の前面側で反射される。また、第２反射部３４の前面側で反射された反射光は、第１反射部３３の上下方向外側に位置する導光板３２の前面（発光面）において、その反射光の一部がセード３１の前面側に透過するとともに、その光の残部が反射されて再び第２反射部３４の前面側へと向かう。すなわち、セード３１は、導光板３２内において、導光板３２の透光部２０から入射された直接光を第１反射部３３の後面側及び導光板３２の前面（発光面）側と、第２反射部３４の前面側との間において交互に反射を繰り返しながら、反射光をＬＥＤ光源部５０から離間する方向に導光し、導光板３２の前面（発光面）から、反射光の一部を前面側へと透過（出射）させることで、導光板３２の前面（発光面）を発光させることができる。加えて、上記のように、導光板３２の前面にパターン層状部４１、４２を設けている場合、導光板３２内の反射光の一部は、パターン層状部４１、４２の後面側により導光板３２内に反射されるとともに、横縞状のパターン層状部４１の間やドット状のパターン層状部４２の間から導光板３２の前面側に出射される。このように、ＬＥＤ光源部５０から出射された直接光をセード３１内で反射させるため、セード３１前面から間接照明としてやわらかで広範囲に広がる光が使用者に視認される側に提供される。
【００２９】
すなわち、本実施形態の照明器具１１によれば、ＬＥＤ光源部５０が発光した場合、ＬＥＤ光源部５０に対向する前面側は第１反射部３３の遮光性により遮光される。ＬＥＤ光源部５０からセード３１の後面側に上下方向中央部に帯状に設けられた透光部２０に光が入射し、第１反射部３３の後面（反射面）で反射されると、続いて第２反射部３４の前面（反射面）で反射され、ジグザグ状に反射を繰り返しながらセード３１の延出方向（照明器具１１の上下方向）外側へと光が進行する（図３に示す点線矢印参照）。一方、ＬＥＤ光源部５０からの出射光の一部が透光部２０を介して導光板３２内に入射されるとともに、ＬＥＤ光源部５０からの出射光の一部が透光部２０の周縁の第２反射部により遮光される。これにより、第１反射部３３の後面（反射面）及び導光板３２内の後面（反射面）に反射した光が導光板３２内部に拡散して導光板３２の前面が間接光で発光する。一方、照明器具１１の上下方向（図２の白抜き矢印方向）においては、外側に直接光が出射される。
【００３０】
さらに、照明器具１１は、ブラケットライトとして壁面に取り付けられた場合、上記の如く、セード３１により間接照明として効率よく導光板３２前面側を発光させるとともに、照明器具１１が有する開放部１９を介してＬＥＤ光源部５０から出射された光を壁面にも配光させることができる。これにより、壁面の間接照明としての効果に加えて、セード３１によりＬＥＤ光源部５０から出射された直接光を間接光として変換してセード３１の前面から出射するので、より広い発光面積でセード３１の導光板３２前面側を発光させて、間接照明として空間全体を明るくすることができる。
【００３１】
本実施形態の照明器具１１の変形例としては、例えば、第１反射部３３の前板部３６におけるＬＥＤ光源部５０に対向する位置に透光性もしくは半透光性を有する所定形状の前面透光部を設け、この前面透光部を介してＬＥＤ光源部５０から出射される直接光をセード３１の前面側に出射するように構成することもできる。このように構成した照明器具は、天井に設置した場合、前記前面透光部により直下照度を確保することができる直接照明機能と、上記の如く間接照明機能とを備えるものとなり、直接照明としての空間照明および間接照明としての天井照明の両方を同時に実現するシーリングライトとして提供することができる。
【００３２】
なお、本実施形態のセード３１の形状は一例であり、本実施形態の形状に限定されるものではない。例えば、セード３１の外形が正方形型以外の角型や丸型、その他の形状である場合には、それに応じた形状とすることができる。また、ＬＥＤ光源部５０の形状に応じて適宜変形させることも可能である。
【００３３】
一般的な間接照明では遮光物（板金など）と遮光物を重ねた隙間の空間から光を出す手法が多く用いられている。このような間接照明では、光があまり広がらず部分的に強く光ってしまう。これに対し、本実施形態の照明器具１１では、セード３１に設けた導光板３２、第１反射部３３及び第２反射部３４により、ＬＥＤ光源部５０から出射された直接光を反射光（間接光）に変換してセード３１の前面側に出射する構成としたものである。これにより、直接使用者からは光源が見えずに、セード３１前面の広範囲に滑らかな間接光を広げることができる。
【００３４】
本実施形態によれば、ＬＥＤ光源部５０からの光をセード３１（導光板３２内）で複数回反射させることにより、光路長を長くすることができるので、セード３１前面から出る光を広範囲に広げることができる。よって、明暗等のムラの少ない、滑らかな光を照射することができる。特に、ＬＥＤなどのように指向性が強い光を発する光源を備える照明器具において効果を発揮する。
【００３５】
また、本実施形態によれば、電源装置７１の前面側に対向する位置に第２反射部３４及び取付部材３９が配置されているため、電源装置７１は、照明器具の前面側から目視することができない。したがって、ＬＥＤ光源部５０と電源装置７１とを上下方向もしくは幅方向に並べて配置することができ、照明器具全体の前後方向の厚みを薄くすることができる。
【００３６】
また、本実施形態によれば、ＬＥＤ光源部５０がセード３１の前面側から見えない（ＬＥＤ光源部５０からの直接光がセード３１前面から出ない）ため、明暗等のムラが少ない光の照射が可能である。そのため、ＬＥＤ光源のように直進性を有し、輝度が高くてもなめらかに見える。
【００３７】
なお、第１反射部３３、第２反射部３４及び透光部２０の関係においては、その面積比率、その形状、数、位置関係は任意に設定することができる。
【００３８】
照明器具１１は、本実施形態の如く、ブラケットライトに限らず、ペンダントライト、直付けのシーリングライトなどに適用可能である。
また、本実施の形態では、図６に示すように、側板部３７の長手方向両端が導光板３２の端部から僅かに突出しているが、側板部３７の長手方向両端と導光板３２の端部とを同一平面上に配置させてもよい。その場合は、例えば、導光板３２における側板部３７に対向する位置に窪みを設け、その窪みに側板部３７を埋設させる構成とすることで実現可能である。
【００３９】
また、本実施形態によれば、セード３１（導光板３２）の発光面の部位に応じてパターン層状部の形状を変更することでセード３１（導光板３２）から出射される光の発光量をコントロールすることができる。具体的には、パターン層状部４１における横縞状の各縞やパターン層状部４２におけるドットの大きさを適宜変更し、光の発光量をコントロールすることができる。
【００４０】
以上説明した本実施形態に係る照明器具１１よれば、セードの前面側に、光源の直射光が出射せず光源の反射光のみを広範囲にわたって出射させることができるため、間接照明として明暗等のムラを抑え、かつ広範囲に広がる光を提供することができる。
【符号の説明】
【００４１】
１１  照明器具
２３  収容部
３２  導光板
３３  第１反射部
３４  第２反射部
３６  前板部
３７  側板部
３８  導光板保持部
４１  パターン層状部
４２  パターン層状部
５０  ＬＥＤ光源部
５１  光源カバー
７１  電源装置
８１  プリズム体
【図１】
2014170654.tif 000003
【図２】
2014170654.tif 000004
【図３】
2014170654.tif 000005
【図４】
2014170654.tif 000006
【図５】
2014170654.tif 000007
【図６】
2014170654.tif 000008
【図７】
2014170654.tif 000009
【図８】
2014170654.tif 000010
【図９】
2014170654.tif 000011
【図１０】
2014170654.tif 000012